(57)【要約】【課題】製造コストおよび設置コストの低減が可能な畜舎およびその臭気低減システムを提供する。【解決手段】家畜の糞尿が落下可能な床３と、床下に形成され、落下した糞尿を受け入れる臭気低減用の水を貯溜するＦＲＰ製の水貯溜部４と、を備える畜舎２と、水貯溜部４から排出される糞尿混合水を曝気する曝気槽２１と、曝気槽２１で曝気処理した曝気処理汚泥を沈殿分離させる沈澱槽３１と、沈澱槽３１の上澄水を水貯溜部４に環流させる環流路４１と、を備える臭気低減システム１とした。【選択図】図１
2020031624.tif 000002
【特許請求の範囲】
【請求項１】
家畜の糞尿が落下可能な床と、床下に形成され、落下した糞尿を受け入れる臭気低減用の水を貯溜するＦＲＰ製の水貯溜部と、を備えることを特徴とする畜舎。
【請求項２】
前記水貯溜部は、一方向から見た側断面視で上部に開口部を有した略半円形状を呈して、建築躯体に凹設された溝に設置され、
少なくとも前記溝に設置される前の状態において、前記開口部の一対の側板部は、上方に向かうにしたがい間隔が広くなるように略逆ハの字状に形成されていることを特徴とする請求項１に記載の畜舎。
【請求項３】
前記床の下方に、
前記溝と前記側板部との隙間を覆う隙間覆い部材を設けたことを特徴とする請求項２に記載の畜舎。
【請求項４】
前記水貯溜部は、一方向から見た側断面視で、互いに対向する一対の鉛直状の側板部と、Ｖ字形状に形成された底板部と、を有して上部が開口した形状を呈していることを特徴とする請求項１に記載の畜舎。
【請求項５】
前記水貯溜部は、前記一方向に分割して構成され、
分割部分は、外側に膨設された段差縁部同士が重なり合って締結されたうえで、内側にシール材料が充填されていることを特徴とする請求項４に記載の畜舎。
【請求項６】
前記床と前記水貯溜部における水面との距離が、５０ｃｍ以上に設定されていることを特徴とする請求項１ないし請求項５のいずれか一項に記載の畜舎。
【請求項７】
家畜の糞尿が落下可能な床と、床下に形成され、落下した糞尿を受け入れる臭気低減用の水を貯溜するＦＲＰ製の水貯溜部と、を備える畜舎と、
前記水貯溜部から排出される糞尿混合水を曝気する曝気槽と、
前記曝気槽で曝気処理した曝気処理汚泥を沈殿分離させる沈澱槽と、
前記沈澱槽の上澄水を前記水貯溜部に環流させる環流路と、
を備えることを特徴とする畜舎の臭気低減システム。
【請求項８】
前記水貯溜部と前記曝気槽との間に介設され、前記水貯溜部から排出された糞尿混合水の臭気を散水により脱臭して大気に排気し、散水処理水を前記曝気槽に流す脱臭装置を備えることを特徴とする請求項７に記載の畜舎の臭気低減システム。
【請求項９】
前記沈澱槽の上澄水を前記脱臭装置の散水用の水として供給することを特徴とする請求項８に記載の畜舎の臭気低減システム。
【請求項１０】
前記畜舎から排出された臭気を、前記曝気槽に曝気用のエアとして供給することを特徴とする請求項７に記載の畜舎の臭気低減システム。
【請求項１１】
前記畜舎から排出された臭気を、散水により脱臭して前記曝気槽に曝気用のエアとして供給する脱臭装置を備えることを特徴とする請求項１０に記載の畜舎の臭気低減システム。
【請求項１２】
前記畜舎は、横置きに設置されるＦＲＰ製の筒状の筺体と、前記筺体の側面に膨設され、メンテナンス用の開閉蓋を有する排出ピットと、前記排出ピット内に設けられ、糞尿混合水を越流させるオーバーフロー管と、を備えた非固定畜舎であり、
前記畜舎から臭気を排出させる臭気管は、前記排出ピットから離れた位置で、前記床と水面との間における前記筺体の側面に接続していることを特徴とする請求項１０または請求項１１に記載の畜舎の臭気低減システム。
【請求項１３】
前記畜舎は、横置きに設置されるＦＲＰ製の筒状の筺体と、前記筺体の側面に膨設され、メンテナンス用の開閉蓋を有する排出ピットと、前記排出ピット内に設けられ、糞尿混合水を越流させるオーバーフロー管と、を備えた非固定畜舎であり、
前記オーバーフロー管から越流した糞尿混合水を排出する排出路と、
前記排出路と接続し、内部の臭気が吸気される密閉ポンプ槽と、
を備え、
前記排出路の排出口周りは、前記密閉ポンプ槽の内部に配置されて、一部の糞尿混合水が溜まるように排水トラップが形成されていることを特徴とする請求項７に記載の畜舎の臭気低減システム。
【請求項１４】
前記曝気槽の臭気を土壌脱臭処理することを特徴とする請求項７に記載の畜舎の臭気低減システム。
【発明の詳細な説明】
【技術分野】
【０００１】
本発明は、畜舎およびその臭気低減システムに関する。
【背景技術】
【０００２】
一般に、豚舎はすのこ状の床を備えており、豚の糞尿をそのまま床下に落下させるようになっている。従来の豚舎の構造として、すのこ床の床下ピットに機械式スクレーパを設置し、主に尿は尿溝または尿溝パイプで排出し、糞はスクレーパで掻き出して糞尿を分離処理するようにしたものがある。しかし、この構造では以下のような問題がある。
【０００３】
（１）冬場など、スクレーパピットから糞を排出する箇所から冷気が侵入する。カーテンやダンパーシャッター等で塞ぐ方法があるが、稼働回数の多さ、施設構造的に完全な空気な遮断は難しく、豚舎への風の侵入により温度管理が難しい、冬場にかぎらず、ピット下部からの流入風は臭気やアンモニアを含んでおり、子豚の病気の原因にもなる。
【０００４】
（２）床下の糞尿溜構造がコンクリート造であるため、掻き出しの際に糞尿がコンクリート表面の微細な凹凸に残りやすく、臭気が残ったり、雑菌が繁殖するという問題がある。コンクリートは糞尿により腐食しやすいため、腐食によって表面の凹凸が粗くなった場合には、この凹凸に入り込んだ糞尿を掻き出すことがますます困難となる。コンクリート表面にこびり付いた汚れは、高圧洗浄機等によって清掃するが。高い圧でないと取れない為、高圧水によってコンクリートが磨耗する。
【０００５】
これに対し、特許文献１には、床下にメタン発酵槽を配置し、糞尿をこのメタン発酵槽に供給する技術が記載されている。また、特許文献２には、床下に活性汚泥浄化槽を配置し、糞尿をこの活性汚泥浄化槽に落下させる技術が記載されている。
【先行技術文献】
【特許文献】
【０００６】
【特許文献１】特開昭６２−２２５２４号公報
【特許文献２】特開２００２−８４９０８号公報
【発明の概要】
【発明が解決しようとする課題】
【０００７】
しかしながら、床下にメタン発酵槽や活性汚泥浄化槽を配置することは製造コストおよび設置コストが嵩み、豚舎自体が大型化するという問題がある。
【０００８】
本発明は、製造コストおよび設置コストの低減が可能な畜舎およびその臭気低減システムを提供することを目的としている。
【課題を解決するための手段】
【０００９】
前記課題を解決するため、本発明は、家畜の糞尿が落下可能な床と、床下に形成され、落下した糞尿を受け入れる臭気低減用の水を貯溜するＦＲＰ製の水貯溜部と、を備えることを特徴とする畜舎とした。
【００１０】
本発明によれば、床下には、単に水を貯溜する水貯溜部を配置するだけで済むため、設置コストの低減を図れる。ＦＲＰ製の水貯溜部を設置することで、屋外気と遮断することができる。したがって、従来の機械式スクレーパを設置する方式のようにピットから吹き込む床下からの風が発生せず、温度管理がしやすく子豚の成長も良好となる。
オーバーフロー管等を使用して床下臭気も排気することで、豚舎床上は豚にとって快適となる。清掃時はオーバーフロー管を抜き、全汚水を流す、または洗浄する。ＦＲＰ製の水貯溜部は汚れが落ちやすいため、低圧の洗浄水でも汚れが落ち、洗浄による摩耗劣化等のおそれがない。また、洗浄後の残存雑菌も少ない。そして、消毒して乾燥させた後、新たに水貯溜部に水を張り再度使用する。
【００１１】
また、本発明は、前記水貯溜部は、一方向から見た側断面視で上部に開口部を有した略半円形状を呈して、建築躯体に凹設された溝に設置され、少なくとも前記溝に設置される前の状態において、前記開口部の一対の側板部は、上方に向かうにしたがい間隔が広くなるように略逆ハの字状に形成されていることを特徴とする。
【００１２】
本発明によれば、水貯溜部を経済的に製作でき、建築躯体の溝の施工誤差によらず、水貯溜部を容易に設置できる。
【００１３】
また、本発明は、前記床の下方に、前記溝と前記側板部との隙間を覆う隙間覆い部材を設けたことを特徴とする。
【００１４】
本発明によれば、溝と側板部との隙間から糞尿が溝内に浸入することを確実に阻止できる。
【００１５】
また、本発明は、前記水貯溜部は、一方向から見た側断面視で、互いに対向する一対の鉛直状の側板部と、Ｖ字形状に形成された底板部と、を有して上部が開口した形状を呈していることを特徴とする。
【００１６】
本発明によれば、水貯溜部の構造を簡略化できる。
【００１７】
また、本発明は、前記水貯溜部は、前記一方向に分割して構成され、分割部分は、外側に膨設された段差縁部同士が重なり合って締結されたうえで、内側にシール材料が充填されていることを特徴とする。
【００１８】
本発明によれば、水貯溜部の長さ寸法が大きい場合に、簡単な構造で分割構成することができる。
【００１９】
また、前記床と前記水貯溜部における水面との距離は、５０ｃｍ以上に設定されていることが望ましい。
【００２０】
また、本発明は、家畜の糞尿が落下可能な床と、床下に形成され、落下した糞尿を受け入れる臭気低減用の水を貯溜するＦＲＰ製の水貯溜部と、を備える畜舎と、前記水貯溜部から排出される糞尿混合水を曝気する曝気槽と、前記曝気槽で曝気処理した曝気処理汚泥を沈殿分離させる沈澱槽と、前記沈澱槽の上澄水を前記水貯溜部に環流させる環流路と、を備えることを特徴とする畜舎の臭気低減システムとした。
【００２１】
本発明によれば、水貯溜部の水によって糞尿が稀釈されるため、畜舎内の臭気が低減される。また、糞尿混合水を曝気槽で曝気処理したうえで、沈澱槽の上澄水を水貯溜部に環流することで、アンモニア臭のほとんどない水として再利用できる。したがって、新たな水道水等を使用することがほとんどなくなり、経済性に優れたシステムとなる。
【００２２】
また、本発明は、前記水貯溜部と前記曝気槽との間に介設され、前記水貯溜部から排出された糞尿混合水の臭気を散水により脱臭して大気に排気し、散水処理水を前記曝気槽に流す脱臭装置を備えることを特徴とする。
【００２３】
本発明によれば、水貯溜部から排出された糞尿混合水の臭気を散水により脱臭して大気に排気し、散水処理水を曝気槽に流す脱臭装置を備えることにより、糞尿混合水に含まれる臭気をより効率的に脱臭できる。
【００２４】
また、本発明は、前記沈澱槽の上澄水を前記脱臭装置の散水用の水として供給することを特徴とする。
【００２５】
本発明によれば、沈澱槽の上澄水を脱臭装置用として再利用できる。
【発明の効果】
【００２６】
本発明によれば、製造コストおよび設置コストの低減が可能な畜舎およびその臭気低減システムとなる。
【図面の簡単な説明】
【００２７】
【図１】本発明に係る畜舎の臭気低減システムの構成図である。
【図２】水貯溜部を下方から見上げた外観斜視図である。
【図３】水貯溜部の分割部周りの断面図である。
【図４】水貯溜部の断面図である。
【図５】非常換気装置の正面図である。
【図６】排出路周りの外観斜視図である。
【図７】水貯溜部の変形例の断面図である。
【図８】水貯溜部の変形例を下方から見上げた外観斜視図である。
【図９】水貯溜部の変形例の単体の断面図である。
【図１０】水貯溜部の変形例の分割部周りの断面図である。
【図１１】脱臭装置の構成図である。
【図１２】畜舎の外観斜視図である。
【図１３】第２実施形態に係る畜舎の臭気低減システムの構成図である。
【図１４】上澄水貯溜室の平面図である。
【図１５】第３実施形態に係る畜舎の臭気低減システムの構成図である。
【図１６】密閉ポンプ槽の内部に設けた排出路の排水トラップの説明図である。
【図１７】第４実施形態に係る畜舎の臭気低減システムの構成図である。
【図１８】第５実施形態に係る畜舎の臭気低減システムの構成図である。
【発明を実施するための形態】
【００２８】
図１において、本発明に係る畜舎の臭気低減システム１は、畜舎２と、曝気槽２１と、沈澱槽３１と、環流路４１とを備えている。畜舎２は、例えば豚舎である。畜舎２の建物形態としては、鉄筋や木造、プレハブ等の固定建築物である固定畜舎であってもよいし、任意の地面に移動させて設置可能な非固定畜舎であってもよい。
【００２９】
「固定畜舎２Ａ」
固定畜舎２Ａは、家畜の糞尿が落下可能な床３と、床下に形成され、落下した糞尿を受け入れる臭気低減用の水を貯溜するＦＲＰ製の水貯溜部４と、を備えている。床３は、スノコや打抜き金網等であり、そのスリットや網目を通して糞尿が床下に落下するようになっている。
【００３０】
図４に示すように、水貯溜部４は、一方向から見た側断面視で、互いに対向する一対の鉛直状の側板部５と、Ｖ字形状に形成された底板部６と、を有して上部が開口した形状を呈している。落下してきた糞尿は水貯溜部４内に溜まった水に稀釈されることで、臭気の低減された糞尿混合水として水貯溜部４内に溜まることとなる。底板部６の端部には、糞尿混合水を排出するための排出ピット７（図２）が下方に膨設されている。水貯溜部４内には、糞尿混合水を越流させるためのオーバーフロー管８が設けられている。
【００３１】
水貯溜部４の一方向寸法が長い場合、図２に示すように、水貯溜部４を当該一方向に分割して構成すればよい。その分割部分は、図３に示すように、外側に膨設された段差縁部９同士が重なり合ってリベット止め等により締結されたうえで、内側にシール材料１０が充填される。シール材料１０としては、ＦＲＰを利用できる。以上のような形状とすれば、トラックやトレーラーでの搬送における道路法規上の高さ制限を考慮しつつ、製造工程や設置工程の簡略化を図ることができる。
【００３２】
「固定畜舎の変形例」
図７〜図１０を参照して、固定畜舎の変形例を説明する。固定畜舎２Ｃも、家畜の糞尿が落下可能な床３と、床下に形成されたＦＲＰ製の水貯溜部４と、を備えている。固定畜舎２Ｃの水貯溜部４は、一方向から見た側断面視で上部に開口部を有した略半円形状を呈した槽筺体４０を備えている。このような形状の槽筺体４０は、例えば、フィラメントワインディング法により成形した略円筒状（楕円状）のＦＲＰ筺体を半割りにすることで容易に製作することができる。図７に示すように、槽筺体４０は、例えば、建築躯体に凹設された溝４６に設置される。溝４６は、例えば豚舎家屋の床面Ｆに断面矩形状に凹設され、コンクリートで養生されている。
【００３３】
図９から判るように、槽筺体４０は、断面円弧状に形成された底板部４０Ａと、底板部４０Ｂの両端に形成される直線状の一対の側板部４０Ｂと、を備えている。底板部４０Ａと側板部４０Ｂとは、前記したようにフィラメントワインディング法等により一体に成形されている。図８に示すように、槽筺体４０の底部には、糞尿混合水を排出するための排出ピット４２が下方に膨設されている。槽筺体４０内には、糞尿混合水を越流させるためのオーバーフロー管（図示せず）が設けられ、糞尿混合水は排出ピット４２を通して所定の外部に排出される。また、槽筺体４０の底部には、溝４６の底面に接面する支持台座４３が設けられている。
【００３４】
図９に示すように、少なくとも溝４６に設置される前の状態において、一対の側板部４０Ｂは、上方に向かうにしたがい間隔が広くなるように略逆ハの字状に形成されている。このように、一対の側板部４０Ｂを略逆ハの字状に形成することで、溝４６の幅寸法に施工誤差があったとしても、図７に示すように、槽筺体４０を設置した際に、溝４６の溝壁により側板部４０Ｂを矢印のように内側に弾性変形させて設置できる。これにより、溝４６の施工誤差によらず、側板部４０Ｂを溝４６の側壁に密着させて槽筺体４０を溝４６内に収まりよく設置できる。したがって、溝４６の側壁と側板部４０Ｂとの隙間から糞尿が溝４６内に浸入することを阻止できる。
【００３５】
また、床３の下方に、溝４６の溝壁と前記側板部４０Ｂとの隙間を覆う隙間覆い部材４４を設ければ、溝４６の側壁と側板部４０Ｂとの隙間から糞尿が溝４６内に浸入することを確実に阻止できる。隙間覆い部材４４の材質は、金属材料、樹脂材料、布材料等、適宜なものを選択できる。
【００３６】
槽筺体４０の一方向寸法が長い場合には分割構成とし、図１０に示すように、外側に膨設された４５同士を突き合わせて接着材や接合材等を用いて連結し、内側にシール材料１０を充填する。また、固定畜舎２Ｃとしては、図１２に示すように、１つの豚舎家屋内に複数の水貯溜部４を並設させてもよい。固定畜舎２Ａも同様である。
【００３７】
以上のように、本発明によれば、床３の下方に、単に水を貯溜する水貯溜部４を配置するだけで済むため、設置コストの低減を図れる。ＦＲＰ製の水貯溜部４を設置することで、屋外気と遮断することができる。したがって、従来の機械式スクレーパを設置する方式のようにピットから吹き込む床下からの風が発生せず、温度管理がしやすく子豚の成長も良好となる。また、ＦＲＰ製の水貯溜部４は汚れが落ちやすいため、低圧の洗浄水でも汚れが落ち、洗浄による摩耗劣化等のおそれがない。また、洗浄後の残存雑菌も少ない。
【００３８】
「非固定畜舎２Ｂ」
図１において、非固定畜舎２Ｂは、横置きに設置されるＦＲＰ製の筒状の筺体１１を備えている。この種の筺体１１を備えた構造のものとしては、既に本出願人が特開２００８−７９５９９号公報で出願している。非固定畜舎２Ｂも、家畜の糞尿が落下可能な床３を備えており、床下を水貯溜部４として水を貯溜させることができる。筺体１１の一方の側面には、糞尿混合水を排出するための排出ピット１２が膨設されている。図６に示すように、排出ピット１２内には、糞尿混合水を越流させるためのオーバーフロー管１３が設けられている。
【００３９】
上記した固定畜舎２Ａ，２Ｃや非固定畜舎２Ｂでは、床３と水貯溜部４における水面との距離Ｈ（図７参照）を、５０ｃｍ以上に設定することが好ましい。距離Ｈを５０ｃｍ未満とすると、水面からの冷気で家畜が冷えやすくなり、また臭気が床３上まで届きやすくなって家畜に影響が出やすい。
【００４０】
「曝気槽２１、沈澱槽３１」
本実施形態の曝気槽２１と沈澱槽３１は共に地上に設置される。図１において、固定畜舎２Ａの排出ピット７や非固定畜舎２Ｂの排出ピット１２から排出される糞尿混合水は、排出路１４を介して曝気槽２１に送られる。図１では、曝気槽２１を第１曝気槽２１Ａと第２曝気槽２１Ｂとに分けた形態を示している。排出路１４からの糞尿混合水は先ず第１曝気槽２１Ａに送られる。第１曝気槽２１Ａは曝気専用の槽である。糞尿混合水は、エア噴射器２２から噴射するエアにより攪拌されて曝気処理され、好気性分解によりアンモニア臭が低減される。
【００４１】
第１曝気槽２１Ａで曝気処理された処理汚泥は、第２曝気槽２１Ｂに送られて再度曝気処理される。これにより、アンモニア臭が一層低減される。第２曝気槽２１Ｂで曝気処理された処理汚泥は沈澱槽３１に送られ、沈澱槽３１で沈澱した汚泥は汚泥貯溜槽３２に送られる。汚泥貯溜槽３２から排出された汚泥は、例えば脱水機３３で脱水処理されて堆肥等に利用される。一方、沈澱槽３１での上澄水は、環流路４１を介して固定畜舎２Ａや非固定畜舎２Ｂの水貯溜部４に供給される。
【００４２】
なお、本実施形態では、第２曝気槽２１Ｂと沈澱槽３１と汚泥貯溜槽３２とを、一つの筺体内で仕切り板により画成した構造としているが、それぞれ別体の筺体を備える構造としてもよい。また、曝気槽２１は１つのみであってもよい。
【００４３】
以上の構成を備えた臭気低減システム１によれば、水貯溜部４の水によって糞尿が稀釈されるため、畜舎２内の臭気が低減される。また、糞尿混合水を曝気槽２１で曝気処理したうえで、沈澱槽３１の上澄水を水貯溜部４に環流することで、アンモニア臭のほとんどない水として再利用できる。したがって、新たな水道水等を使用することがほとんどなくなり、経済性に優れたシステムとなる。
【００４４】
「脱臭装置７０」
図１１を参照して、脱臭装置７０を説明する。脱臭装置７０は、水貯溜部４と曝気槽２１（図１参照）との間に介設されている。脱臭装置７０は、水貯溜部４から排出された糞尿混合水の臭気を散水により脱臭して大気に排気し、散水処理水を曝気槽２１に流す装置である。
【００４５】
固定畜舎２Ｃや非固定畜舎２Ｂの水貯溜部４の糞尿混合水は、オーバーフロー管１３から排出路１４に流れる。排出路１４を構成する管は、例えば地中に埋設されている。排出路１４の途中には、上方に延設し地上に延びる臭気管８３の一端が接続されている。固定畜舎２Ｃ或いは非固定畜舎２Ｂの床３の下方には、排気管７１の一端が臨んでいる。排気管７１の他端は、臭気管８３の途中に接続している。臭気管８３の他端は、地上に設置された脱臭装置７０に接続されている。
【００４６】
脱臭装置７０は、筺体８４の内部が鉛直状の仕切り板８５によって２つの空間に画成されている。２つの空間は仕切り板８５の下方で連通している。一方の空間の上下方向中程にはろ材７４が充填されており、このろ材７４よりも上方の空間に前記臭気管８３の他端が臨むとともに、散水ノズル７３が配置されている。散水ノズル７３は、前記環流路４１或いは別途の清水源に接続した給水管７２に取り付けられている。散水ノズル７３は下方のろ材７４に向けて散水するように下向きに配置されている。なお、散水ノズル７３のノズル形状や配置形状、個数等は特に限定されるものではない。
【００４７】
ろ材７４の下方には、ろ材７４を洗浄するためのろ材洗浄散気管７５が配置されている。ろ材洗浄散気管７５は、上方に向けてエア噴射孔が複数開口しており、このエア噴射孔からろ材７４に向けてエアが噴射し、ろ材を洗浄する。ろ材洗浄散気管７５は、図示しないエアコンプレッサ等に接続されている。
【００４８】
他方の空間側の最上部には、換気扇もしくは軸流ファン等の排気装置８０が取り付けられている。また、他方の空間側において、下方には開閉バルブ７６を備えた放流管７７の一端が臨み、上方には開閉バルブ７８を備えたオーバーフロー配管７９の一端が臨んでいる。開閉バルブ７６は通常時に開状態、ろ材７４の洗浄時に閉状態とする。オーバーフロー配管７９の他端は放流管７７に接続している。放流管７７の他端は密閉ポンプ槽８１に接続している。排出路１４の末端も密閉ポンプ槽８１に接続している。密閉ポンプ槽８１と曝気槽２１（図１参照）とは、排出管８２で接続されている。
【００４９】
以上により、排出路１４を流れる糞尿混合水から発生した臭気は、臭気管８３を通って脱臭装置７０の筺体８４の内部に流れる。床３の下方の臭気も、排気管７１、臭気管８３を通って脱臭装置７０の筺体８４の内部に流れる。筺体８４内で、臭気は、散水ノズル７３で散水された状態の雰囲気を通過するとともに、ろ材７４を通過することで効率良く脱臭され、排気装置８０により大気に排気される。ろ材７４から滴下する散水処理水は、放流管７７を介して密閉ポンプ槽８１に排出され、排出管８２を介して曝気槽２１（図１参照）に流れる。
【００５０】
以上のように、水貯溜部４と曝気槽２１との間に介設され、水貯溜部４から排出された糞尿混合水の臭気を散水により脱臭して大気に排気し、散水処理水を曝気槽２１に流す脱臭装置７０を備える構成とすれば、糞尿混合水に含まれる臭気をより効率的に脱臭できる。また、環流路４１を介して沈澱槽３１の上澄水を脱臭装置７０の散水用の水として供給すれば、沈澱槽３１の上澄水を脱臭装置用として再利用でき、経済的となる。
【００５１】
「非常換気装置５１」
次に非常換気装置について説明する。近年の豚舎は、換気部を除き、臭気が外部に漏れないようにほぼ密閉構造となっている。換気はほぼ常時行っており、例えば換気扇などにより外気を舎内に取り込み、所定の排気部から排気している。しかし、停電により換気扇が止まると、内部が密閉されているために豚が酸欠で死んでしまう。そのため、豚舎では、通常の換気装置とは別に、停電など非常時の換気機能を担う非常換気装置が設けられている。以下、非常換気装置を非固定畜舎２Ｂに取り付けた形態について説明する。
【００５２】
図５において、非常換気装置５１は、非固定畜舎２Ｂの一方の側面２Ｃの外側に取り付けられたハウジング５２を備えている。ハウジング５２内には、ロッド５３Ａが下方に延びるようにして電磁ソレノイド５３が設けられている。電磁ソレノイド５３は、通電時にはロッドが５３Ａが縮退し、非通電時にロッド５３Ａが伸長する。ロッド５３Ａの下端には、連結部材５４およびコイルばね５５を介してワイヤ５６の上端が連結されている。ワイヤ５６はハウジング５２の底部からさらに下方に向けて延びており、下端には錘５７が取り付けられている。ワイヤ５６の下部周りには、鉛直状に延びる係止棒部５８が取り付けられている。
【００５３】
非固定畜舎２Ｂの側面２Ｃには、矩形状の非常換気窓が形成されており、通常時はこの非常換気窓を閉じるように非常換気扉５９が取り付けられている。非常換気扉５９は、ばね付勢付きのヒンジ６０で回動開閉するように側面２Ｃに取り付けられており、通常時は非常換気扉５９の被係止孔具６１に前記係止棒部５８が下方から差し込まれている。
【００５４】
図５は、通常時の状態を示しており、通電していることにより電磁ソレノイド５３のロッド５３Ａが縮退して、係止棒部５８が非常換気扉５９の被係止孔具６１に下方から差し込まれた状態にある。そして、停電等により電磁ソレノイド５３が非通電になると、ロッド５３Ａが下方に伸長して、錘５７によってテンションのかかったワイヤ５６が下がり、係止棒部５８が被係止孔具６１から抜ける。これにより、ヒンジ６０のばね付勢力によって非常換気扉５９が開き、非常換気窓が開放される。
【００５５】
以上の非常換気装置５１によれば、電磁ソレノイド５３を利用することで簡単な構成でかつ確実に非常換気を行うことができる。なお、非常換気装置５１は固定畜舎２Ａに取り付けることもできる。
【００５６】
「Ｔ型管継手１７」
複数の非固定畜舎２Ｂを並設した場合、各排出ピット１２から排出される糞尿混合水をひとつながりの排水管に集合させることが好ましい。一方、豚舎が設置される場所としては、平坦地に限られず、凹凸のある野原等であることも多い。この場合、隣り合う豚舎間で高さ方向にずれがあると、排水管の連結作業に手間がかかるという問題がある。
【００５７】
この問題に対し、図６に示すように、排出路１４はＴ型管継手１７を備えている。オーバーフロー管１３の下端は、排出ピット１２の側面から外部に水平状に突出した突出部１５を備えている。突出部１５にはエルボ管１６を介してＴ型管継手１７が連結されている。Ｔ型管継手の３つの接続口の内で、直線状に通じ合う２つの接続口を１７Ａ，１７Ｂとし、これらと直交する残りの接続口を１７Ｃとすると、エルボ管１６には接続口１７Ｃが連結されている。これにより、接続口１７Ａ,１７Ｂは、接続口１７Ｃを中心として略水平方向の軸周りに回転調整可能な状態となり、隣り合う非固定畜舎２Ｂの間で高さ方向にずれがあったとしても、Ｔ型管継手１７同士を配管１８で容易に連結させることができる。
【００５８】
「第２実施形態」
図１３を参照して第２実施形態を説明する。第２実施形態は、非固定畜舎２Ｂの臭気低減システムに関する。非固定畜舎２Ｂの底部に溜まった糞尿混合水は、オーバーフロー管１３から排出路１４に流れる。排出路１４の下流端は、図１１と同様に密閉ポンプ槽８１に接続されている。密閉ポンプ槽８１は、排出管８２を介して第１曝気槽２１Ａに接続している。
【００５９】
図１１では、排出路１４の途中に臭気管８３の一端を接続し、臭気管８３の他端を脱臭装置７０に接続していた。この構成では、脱臭装置７０の排気装置８０が作動すると、臭気管８３と排出路１４の内部が吸気されてオーバーフロー管１３の開口部に負圧が生じる。図６に示すように、オーバーフロー管１３は排出ピット１２内に配置されており、この排出ピット１２の上部にはメンテナンス用の開閉式の蓋部材が設けられている。そのため、オーバーフロー管１３の開口部に負圧が生じると、外気が排出ピット１２の本体部と蓋部材との隙間から非固定畜舎２Ｂ内に吸い込まれてしまう。子豚は特に寒気に弱いため、冬場の冷気が非固定畜舎２Ｂ内に流入することは問題である。
【００６０】
この問題に対し、第２実施形態では、図１３に示すように、臭気管８３の一端を、排出ピット１２から離れた位置での床３（図１）と水面との間における非固定畜舎２Ｂの側面に接続している。臭気管８３の他端は、脱臭装置７０Ａに接続している。臭気管８３の途中にはバルブ８３Ａが設けられている。
【００６１】
脱臭装置７０Ａは、図１１に示した脱臭装置７０と基本構成は同じであり、筺体８４の内部が鉛直状の仕切り板８５によって２つの空間に画成されている。２つの空間は仕切り板８５の下方で連通している。一方の空間の上下方向中程にはろ材７４が充填されており、このろ材７４よりも上方の空間に臭気管８３の他端が臨むとともに、散水ノズル７３が配置されている。散水ノズル７３は下方のろ材７４に向けて散水するように下向きに配置されている。散水ノズル７３のノズル形状や配置形状、個数等は特に限定されるものではない。なお、図１１では、散水ノズル７３を環流路４１の給水管７２に取り付けたが、図１３のように、筺体８４の底部に溜まった水をポンプで循環させる配管８６に取り付けてもよい。
【００６２】
ろ材７４の下方には、ろ材７４を洗浄するためのろ材洗浄散気管７５が配置されている。ろ材洗浄散気管７５は、上方に向けてエア噴射孔が複数開口しており、このエア噴射孔からろ材７４に向けてエアが噴射し、ろ材を洗浄する。ろ材洗浄散気管７５は、ブロワー８７に接続されている。
【００６３】
他方の空間側の最上部は、排気管８８を介して曝気槽２１に接続されている。排気管８８には、脱臭装置７０Ａ寄りから順に、ミストセパレータ８９、ルーツブロワー９０が設けられている。また、脱臭装置７０Ａの他方の空間側には、補給水管９１と逆洗浄配管９２が接続されている。筺体８４の底部にはドレン管９３が接続されている。
【００６４】
曝気槽２１の構成は、図１に示したものと同じであり、第１曝気槽２１Ａと第２曝気槽２１Ｂとに分かれている。第１曝気槽２１Ａは、単数でもよいし、図１３のように複数の槽を連通させたものでもよいし、図１のように１つの筺体内で仕切り板によって画成された複数の槽室を有するものでもよい。第２曝気槽２１Ｂは、１つの筺体内に仕切り板によって画成された沈澱槽３１および汚泥貯溜槽３２と共に配置されている。
【００６５】
ルーツブロワー９０の作動により脱臭装置７０Ａから排気管８８に吸気された臭気は、ミストセパレータ８９によりミスト（微水滴）が除去されたうえで、曝気槽２１に曝気用エアとして供給される。糞尿混合水は、この曝気用エアにより攪拌されて曝気処理され、好気性分解によりアンモニア臭が低減される。なお、供給する曝気槽２１は、第１曝気槽２１Ａ、第２曝気槽２１Ｂの両方でもよいし、例えば、バルブの選択によりどちらか一方に供給するようにしてもよく、特に限定されるものではない。
【００６６】
第２曝気槽２１Ｂで曝気処理された処理汚泥は沈澱槽３１に送られ、沈澱槽３１で沈澱した汚泥は汚泥貯溜槽３２に送られる。汚泥貯溜槽３２から排出された汚泥は、例えば脱水機３３で脱水処理されて堆肥等に利用される。一方、沈澱槽３１での上澄水は、上澄水貯溜室９４に貯溜される。図１４に示すように、上澄水貯溜室９４は、仕切り板９５によって、沈殿槽３１に連通する第１貯溜室９４Ａと、第１貯溜室９４Ａにバルブ９６を介して連通する第２貯溜室９４Ｂと、第１貯溜室９４Ａにバルブ９７を介して連通する第３貯溜室９４Ｃと、に画成されている。第１貯溜室９４Ａ内の水は、バルブ９６，９７の開閉操作により、第２貯溜室９４Ｂ、第３貯溜室９４Ｃに選択的に流入する。
【００６７】
第２貯溜室９４Ｂに流入した上澄水は、ポンプ９８により環流路４１を介して非固定畜舎２Ｂの水貯溜部４に供給される。第３貯溜室９４Ｃに流入した上澄水は、排水管９９を介して例えば液肥として利用されたり、既設浄化槽に送られる。これにより、上澄水を状況に合わせて有効利用できる。
なお、ブロワー８７は、送気管１００を介して脱臭装置７０Ａのろ材洗浄散気管７５にエアを供給するとともに、送気管１０１を介して第１貯溜室９４Ａに曝気用エアを供給するようになっている。これにより、上澄水を一層浄化できる。
【００６８】
以上のように、畜舎２から排出された臭気を曝気槽２１に曝気用のエアとして供給する構成とすれば、臭気を曝気用のエアとして有効に利用できるとともに、臭気の低減効率を高めることができる。また、脱臭装置７０Ａを備えることで、臭気の低減効率を一層高めることができる。
【００６９】
また、本実施形態では、畜舎２が、横置きに設置されるＦＲＰ製の筒状の筺体１１と、筺体１１の側面に膨設され、メンテナンス用の開閉蓋を有する排出ピット１２と、排出ピット１２内に設けられ、糞尿混合水を越流させるオーバーフロー管１３と、を備えた非固定畜舎２Ｂであり、非固定畜舎２Ｂから臭気を排出させる臭気管８３を、排出ピット１２から離れた位置で、床３と水面との間における筺体１１の側面に接続した。これにより、例えば、本実施形態のようにルーツブロワー９０の作動により脱臭装置７０Ａを通して臭気管８３に負圧が発生しても、臭気管８３は排出ピット１２から離れた位置に取り付けられているので、その負圧の影響により、外気が排出ピット１２の本体部と蓋部材との隙間から非固定畜舎２Ｂ内に吸い込まれるという問題は生じない。したがって、冬場の冷気が非固定畜舎２Ｂ内に流入して子豚に影響を与えることがない。
【００７０】
「第３実施形態」
図１５を参照して第３実施形態を説明する。第３実施形態の臭気低減システムは、それぞれ複数の非固定畜舎２Ｂ、固定畜舎２Ｃを備えている。各固定畜舎２Ｃのオーバーフロー管１３から排出された糞尿混合水は、排出路１４に集合されて密閉ポンプ槽８１に送られる。密閉ポンプ槽８１は、排出管８２を介して第１曝気槽２１Ａに接続している。非固定畜舎２Ｂの各床３の下方には臭気管１０２が接続し、固定畜舎２Ｃの各床３の下方には臭気管１０３が接続している。各臭気管１０２，１０３の下流端は排出路１４に接続している。これにより、後述するように密閉ポンプ槽８１の内部が吸気されると、排出路１４内に負圧が生じ、各畜舎の床下の臭気が各臭気管１０２，１０３に吸気されて排出路１４に流れる。固定畜舎２Ｃ内においてはオーバーフロー管１３の開口部にも負圧が生じるが、非固定畜舎２Ｂの場合と異なり、負圧の影響で外気が流入するという問題は生じない。なお、各臭気管１０２，１０３には必要に応じてバルブ１０４が設けられる。
【００７１】
一方、非固定畜舎２Ｂの各オーバーフロー管１３は、排出路１４とは別に設けられた排出路１０５を介して密閉ポンプ槽８１に接続している。図１６に拡大して示すように、排出路１０５の排出口１０５Ａ周りは、密閉ポンプ槽８１の内部に配置されて、一部の糞尿混合水が溜まるように排水トラップ１０６が形成されている。図では、排水トラップをＵ字形状のトラップとした場合を示している。排水トラップ１０６を設けることで、排出口１０５Ａ周りに常に一部の糞尿混合水が溜まった状態となるので、密閉ポンプ槽８１の内部が吸気されても排出路１０５に負圧が生じることはない。したがって、オーバーフロー管１３の開口部に負圧が生じて、外気が排出ピット１２の本体部と蓋部材との隙間から非固定畜舎２Ｂ内に吸い込まれるという問題は生じない。
【００７２】
密閉ポンプ槽８１の内部は、排気管１０７を介して曝気槽２１に接続されている。排気管１０７には、密閉ポンプ槽８１寄りから順に、ミストセパレータ８９、ルーツブロワー９０が設けられている。ルーツブロワー９０の作動により密閉ポンプ槽８１から排気管１０７に吸気された臭気は、ミストセパレータ８９によりミスト（微水滴）が除去されたうえで、曝気槽２１に曝気用エアとして供給される。
【００７３】
曝気槽２１や沈澱槽３１の構成は第２実施形態と同じであるのでその説明は省略する。なお、脱水機３３で処理した処理水を管路１０８により密閉ポンプ槽８１に戻してもよい。また、環流路４１の水を管路１０９により密閉ポンプ槽８１に戻してもよい。
【００７４】
「第４実施形態」
図１７を参照して第４実施形態を説明する。第４実施形態は、第３実施形態に対し、曝気槽２１の内部から臭気を排気して土壌脱臭処理する構成を備えている。これ以外の構成は、第３実施形態と同じであるので、同符号を付して重複説明は省略する。
【００７５】
第１曝気槽２１Ａには、排気管１１０の一端が接続している。排気管１１０の他端はミストセパレータ１１１に接続し、ミストセパレータ１１１はルーツブロワー１１２に接続している。ルーツブロワー１１２には、土壌に埋設される埋設管１１３が接続されている。以上により、ルーツブロワー１１２の作動により第１曝気槽２１Ａから排気管１１０に吸気された臭気は、ミストセパレータ１１１によりミスト（微水滴）が除去されたうえで、埋設管１１３から土壌に排気され、土壌脱臭される。これにより、臭気の低減効率を一層高めることができる。
【００７６】
「第５実施形態」
図１８を参照して第５実施形態を説明する。第５実施形態は、第４実施形態に対し、密閉ポンプ槽８１とミストセパレータ８９との間に脱臭装置７０Ａを設けている。これ以外の構成は、第４実施形態と同じであるので、同符号を付して重複説明は省略する。
【００７７】
脱臭装置７０Ａの構成は、図１３に示したものと同じである。本実施形態によれば、ルーツブロワー９０の作動により密閉ポンプ槽８１から排気管１０７に吸気された臭気は、脱臭装置７０Ａにより脱臭されたうえで、ミストセパレータ８９によりミスト（微水滴）が除去されて曝気槽２１に曝気用エアとして供給される。これにより、臭気の低減効率を一層高めることができる。
【符号の説明】
【００７８】
１      畜舎の臭気低減システム
２      畜舎
３      床
４      水貯溜部
５      側板部
６      底板部
２１      曝気槽
３１      沈澱槽
４１      環流路
７０，７０Ａ  脱臭装置
【図１】
2020031624.tif 000003
【図２】
2020031624.tif 000004
【図３】
2020031624.tif 000005
【図４】
2020031624.tif 000006
【図５】
2020031624.tif 000007
【図６】
2020031624.tif 000008
【図７】
2020031624.tif 000009
【図８】
2020031624.tif 000010
【図９】
2020031624.tif 000011
【図１０】
2020031624.tif 000012
【図１１】
2020031624.tif 000013
【図１２】
2020031624.tif 000014
【図１３】
2020031624.tif 000015
【図１４】
2020031624.tif 000016
【図１５】
2020031624.tif 000017
【図１６】
2020031624.tif 000018
【図１７】
2020031624.tif 000019
【図１８】
2020031624.tif 000020